(57)【要約】      （修正有）【課題】巣を介して電線が短絡することに起因して短絡事故が発生しないよう、鳥が電柱に巣を作らないようにする鳥害防止器具を提供する。【解決手段】鳥害防止器具１００は、絶縁性の線材１３と、電柱２１の腕金２２の上側において当該腕金２２の長手方向に沿って線材１３が設けられるように、線材１３を支持する一対の支持棒１１、１２と、を備える。該一対の支持棒は、前記電柱の長手方向に沿って前記腕金の両端から上方に向かって立設され、該一対の支持棒に対して前記線材を所定の張力で取り付けるための溝を有する。【選択図】図１
2016131545.tif 000002
【特許請求の範囲】
【請求項１】
絶縁性の線材と、
電柱の腕金の上側において当該腕金の長手方向に沿って線材が設けられるように、線材を支持する支持棒と、
を備えたことを特徴とする鳥害防止器具。
【請求項２】
前記支持棒は、前記腕金の両端に取り付けられる一対の支持棒である
ことを特徴とする請求項１に記載の鳥害防止器具。
【請求項３】
前記一対の支持棒は、前記電柱の長手方向に沿って前記腕金の両端から上方に向かって立設される
ことを特徴とする請求項２に記載の鳥害防止器具。
【請求項４】
前記一対の支持棒は、前記一対の支持棒に対して前記線材を所定の張力で取り付けるための溝を有する
ことを特徴とする請求項３に記載の鳥害防止器具。
【発明の詳細な説明】
【技術分野】
【０００１】
本発明は、鳥害防止器具に関する。
【背景技術】
【０００２】
例えば、電線を支持する電柱が知られている（例えば特許文献１）。
【先行技術文献】
【特許文献】
【０００３】
【特許文献１】特開２００７−２０４５７号公報
【発明の概要】
【発明が解決しようとする課題】
【０００４】
ところで、例えば、特許文献１の電柱を含め、電柱に対して鳥が巣を作った場合、当該巣を介して電線が短絡することに起因して短絡事故が発生する虞がある。
【０００５】
そこで、本発明は、鳥が電柱に巣を作らないようにする鳥害防止器具を提供することを目的とする。
【課題を解決するための手段】
【０００６】
前述した課題を解決する主たる本発明である鳥害防止器具は、絶縁性の線材と、電柱の腕金の上側において当該腕金の長手方向に沿って線材が設けられるように、線材を支持する支持棒と、を備える。
【０００７】
本発明の他の特徴については、添付図面及び本明細書の記載により明らかとなる。
【発明の効果】
【０００８】
本発明によれば、電柱に対する鳥の営巣が低減され、営巣に起因する電線の短絡事故を低減することが可能になる。
【図面の簡単な説明】
【０００９】
【図１】本実施形態に係る鳥害防止器具が電柱に取り付けられた状態を示す全体正面図である。
【図２】本実施形態に係る鳥害防止器具を示す側面図である。
【図３】本実施形態に係る鳥害防止器具に用いられる支持棒を示す正面図である。
【図４】本実施形態に係る鳥害防止器具を示す正面図である。
【発明を実施するための形態】
【００１０】
本明細書および添付図面の記載により、少なくとも以下の事項が明らかとなる。
【００１１】
＝＝＝鳥害防止器具＝＝＝
以下、図１乃至図４を参照して、本実施形態における鳥害防止器具について説明する。図１は、本実施形態に係る鳥害防止器具が電柱に取り付けられた状態を示す全体正面図である。図２は、本実施形態に係る鳥害防止器具を示す側面図である。尚、図２におけるボルト１１３の一部は見えない状態となっているが、説明の便宜上、破線で示されている。図３は、本実施形態に係る鳥害防止器具に用いられる取付棒（支持棒）を示す正面図である。尚、図３における溝１１２の内面は見えない状態となっているが、説明の便宜上、破線で示されている。図４は、本実施形態に係る鳥害防止器具を示す正面図である。尚、図４においては、説明の便宜上、電柱２１が省略されている。又、図４における線材１３の一部は見えない状態となっているが、説明の便宜上、破線で示されている。
【００１２】
尚、Ｚ軸は電柱２１の長手方向に沿う軸であり、電柱２１における上側の端部から下側の端部に向かう方向を−Ｚとし、電柱２１における下側の端部から上側の端部に向かう方向を＋Ｚとする。Ｘ軸は、電柱２１に固定されている腕金２２の長手方向に沿う軸であり、腕金２２における取付棒１２が取り付けられている一端から取付棒１１が取り付けられている他端へ向かう方向を＋Ｘとし、腕金２２の他端から一端に向かう方向を−Ｘとする。Ｙ軸はＸ軸及びＺ軸に対して直交する軸であり、図１における紙面表から紙面裏へ向かう方向を−Ｙとし、図１における紙面裏から紙面表へ向かう方向を＋Ｙとする。
【００１３】
＝鳥害防止器具＝
鳥害防止器具１００は、電柱２１の腕金２２に対して鳥獣が営巣するのを防止するための装置である。鳥害防止器具１００は、取付棒１１、１２（支持棒）、線材１３、固定具１１１、１２１（図４）を有している。
【００１４】
＝取付棒＝
取付棒１１、１２は、線材１３を例えば腕金２２の上側（＋Ｚ）に取り付けるための部材である。取付棒１１、１２は夫々、腕金２２の両端に取り付けられる。取付棒１１、１２は夫々同様な構成であるので、取付棒１１の構成について説明し、取付棒１２の構成の説明については省略する。
【００１５】
取付棒１１は、略矩形柱形状を呈している例えば金属製の部材である。尚、例えば取付棒１１は、樹脂により形成された絶縁性の部材であることとしてもよい。取付棒１１の長さは、取付棒１１によって取り付けられた線材１３と腕金２２との間のＺ軸方向における距離が例えば１５ｃｍ〜２０ｃｍ程度となるように設定されている。取付棒１１は、取付棒１１の長手方向がＺ軸に沿うように腕金２２における＋Ｘ側の端部に取り付けられる。取付棒１１には、挿通孔１１５（図３）、取付溝１１２が形成されている。
【００１６】
取付溝１１２は、取付棒１１における−Ｘ側の側面１１Ａ（図２）及び＋Ｚ側の天面１１Ｂに沿って線材１３を取り付けるための溝である。取付溝１１２は、側面１１Ａ及び天面１１Ｂにおいて連続的に形成されている。取付溝１１２は、例えばＶ溝であることとしもよいし、Ｕ溝であることとしてもよい。
【００１７】
挿通孔１１５は、腕金２２に対して取付棒１１を取り付けるためのボルト１１３が挿通される孔である。挿通孔１１５は、取付棒１１と腕金２２とがＹ軸に沿って隣接した状態で取付棒１１が腕金２２に固定されるように、Ｙ軸に沿って取付棒１１を貫通している。挿通孔１１５は、取付棒１１における下側（−Ｚ）の端部が腕金２２に固定されるように、取付棒１１における中央よりも下側寄りの位置に形成されている。そして、取付棒１１は、挿通孔１１５及び腕金２２の挿通孔に連続的に挿通されたボルト１１３とナット１１４とを螺合することにより、腕金２２に固定される。
【００１８】
＝線材＝
線材１３は、鳥獣のうちの例えば鳥が腕金２２上に営巣するのを防止するための絶縁性の線材である。線材１３は、例えばグラスファイバーである。尚、例えば線材１３がピアノ線であることとしてもよい。線材１３は、鳥によって視認され難いように、例えば透明とされていてもよいし、黒色に着色されていてもよい。線材１３の長さは、線材１３が取付棒１１、１２に取り付けられたときに所定の張力で張られた状態となるように、設定されている。尚、所定の張力とは、例えば風雨によって線材１３が取付溝１１２及び取付棒１２の取付溝から外れない程度の張力であることとしてもよい。
【００１９】
線材１３の一端は、固定具１１１によって取付棒１１における＋Ｘ側に取り付けられる。線材１３の他端は、固定具１２１によって取付棒１２における−Ｘ側に取り付けられる。線材１３の両端が取付棒１１、１２に取り付けられたとき、線材１３は、取付棒１１の取付溝１１２及び取付棒１２の取付溝の内部に沿った状態で、腕金２２の長手方向に沿った状態となる。この際、取付溝１１２及び取付棒１２の取付溝は、線材１３がずれるのを防止する機能を発揮する。
【００２０】
＝固定具＝
固定具１１１、１２１は、取付棒１１、１２に対して線材１３を固定するのに用いられる。固定具１１１は、側面１１Ａに固定される。固定具１１１は、固定軸１１１ａ（図４）を有する。固定軸１１１ａは、Ｘ軸方向沿って伸びている例えば雄螺子である。固定軸１１１ａは、例えば側面１１Ａに設けられている雌螺子１１Ｃ（図３）と螺合するように形成されている。尚、雌螺子１１Ｃは、例えば側面１１Ａの溝１１２における下端（−Ｚ）に設けられていることとする。尚、固定具１２１の構成は、固定具１１１の構成と同様である。
【００２１】
＝＝＝鳥害防止器具の取り付け＝＝＝
以下、図４を参照して、本実施形態における鳥害防止器具の取り付けについて説明する。
【００２２】
取付棒１１が、ボルト１１３及びナット１１４によって腕金２２に取り付けられる。取付棒１２が、ボルト１２３及びボルト１２３と螺合するナット（不図示）によって腕金２２に取り付けられる。線材１３の一端は、固定具１１１の固定軸１１１ａに例えば結びつけられて固定される。線材１３の他端は、固定具１２１の固定軸１２１ａに例えば結びつけられて固定される。
【００２３】
＝＝＝営巣の防止＝＝＝
以下、図１を参照して、本実施形態における営巣防止器具による、営巣の防止について説明する。
【００２４】
腕金２２上に営巣するために飛来した例えば鳥は、線材１３に当たって痛みを感じる。この後、この鳥は、例えば、腕金２２へ飛来する際の痛みに基づいて、腕金２２を警戒することになる。従って、鳥が腕金２２に対して営巣する可能性を低減することができる。
【００２５】
尚、取付棒１１、１２が例えば弾性の無い金属製の棒とされているので、線材１３に当たったときの鳥が感じる痛みの程度が増大される。よって、鳥が腕金２２に対して営巣する可能性を確実に低減することができる。取付棒１１、１２が例えば弾性の無い金属製の棒とされているので、鳥が線材１３に当たったときに取付棒１１、１２自体が撓むのを防止して、線材１３が取付棒１１、１２から外れるのを防止することができる。又、取付棒１１、１２が例えば弾性の無い金属製の棒とされているので、風雨等の自然的要因により線材が外れるのを防止することができる。
【００２６】
又、線材１３が絶縁性の線材とされている。よって、例えば線材１３が切断されて、腕金２２によって支持されている電線に接触した際に、当該接触により電線の短絡事故が発生するのを防止することができる。
【００２７】
又、線材１３が比較的安価に入手可能な例えばグラスファイバーとされる。よって、鳥害防止器具１００の製造コストを低減させることができる。
【００２８】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００２９】
１１，１２  取付棒
１３  線材
２１  電柱
２２  腕金
１００  鳥害防止器具
１１１，１２１  固定具
１１２  取付溝
【図１】
2016131545.tif 000003
【図２】
2016131545.tif 000004
【図３】
2016131545.tif 000005
【図４】
2016131545.tif 000006